(57)【要約】【課題】  意匠性がよく耐久性があり、またタオル掛けを使用したい人、そうでない人ともに使い勝手がよくなる扉を提供することである。【解決手段】  前面横方向にレールを有する扉とレールに係合する係合部を有する引っ掛け具とからなる扉であり、さらに前記レールの両端部が開放部である、さらに、前記係合部の前記レールとの接触部に弾性体を備え、さらに前記引っ掛け具が前記扉の間口寸法よりも小幅の引っ掛け具である、また前記引っ掛け具がリング状である。【選択図】  図１
2008261220.tif 000002
【特許請求の範囲】
【請求項１】
前面横方向にレールを有する扉本体と、
前記レールに係合する係合部を有する引っ掛け具と、を有し、
前記係合部には、前記引っ掛け具が上に上がった時に前記レールから外れないための突起が設けられ、
前記引っ掛け具は左右にずらせることを特徴とする扉。
【請求項２】
前記レールの両端部が開放部であることを特徴とする請求項１ 記載の扉。
【請求項３】
前記係合部の前記レールとの接触部に弾性体を備えることを特徴とする請求項１ または２記載の扉。
【請求項４】
前記引っ掛け具が前記扉の間口寸法よりも小幅の引っ掛け具であることを特徴とする請求項１乃至３いずれかに記載の扉。
【請求項５】
前記引っ掛け具がリング状であることを特徴とする請求項１乃至４いずれかに記載の扉。
【発明の詳細な説明】
【技術分野】
【０００１】
本発明は、扉本体にレール機構を設け、そこに差し込むことにより設置できるタオルバーを備えた扉に関する発明である。
【背景技術】
【０００２】
従来、扉の把手にタオルを掛けることは一般的に行われている。また把手にタオルを掛け易くしたものがある（ 例えば、特許文献１ 参照。） 。このような場合タオルを掛けたくない人に対しても把手が付いたままであり、場合によっては使い勝手が悪かった。
【０００３】
また、任意の位置にタオルを掛ける技術として、吸盤式としたタイプのものがある（例えば、特許文献２、３参照。）。これらは意匠性がよくなく、さらに吸着力がなくなると使用できなくなる不具合があった。
【特許文献１】実開平６−４４４４６号公報（第２頁、第１図）
【特許文献２】特開平１１−４７０３０号公報（第３頁、第１図）
【特許文献３】特開２００２−６５５０１号公報（第６頁、第１図、第６図）
【発明の開示】
【発明が解決しようとする課題】
【０００４】
本発明は、上記問題を解決するためになされたもので、本発明の課題は、意匠性がよく耐久性があり、またタオル掛けを使用したい人、そうでない人ともに使い勝手がよくなる扉を提供することである。
【課題を解決するための手段】
【０００５】
上記目的を達成するために請求項１記載の発明は、前面横方向にレールを有する扉本体と、前記レールに係合する係合部を有する引っ掛け具と、を有し、前記係合部には、前記引っ掛け具が上に上がった時に前記レールから外れないための突起が設けられ、前記引っ掛け具は左右にずらせるこを特徴としている。
【０００６】
この発明によれば、レールに係合部を通すことにより引っ掛け具を容易に着脱、移動することができる。よって、タオル掛けを使用したい人は引っ掛け具を用い、そうでない人は用いないことで、意匠性を確保するばかりか、それぞれの使い勝手が向上する。
【０００７】
請求項２記載の発明は、請求項１記載の発明において、レール両端がレールと同一形状の開放部であることを特徴としている。
【０００８】
この発明によれば、レールに容易に係合部を通すことができる。さらには左右どちらからでも取り付けられるので側方に壁面などがあり取り付けが困難な際にも品番を増やすことなく反対側の開放部を用いることで対応でき非常に便利である。
【０００９】
請求項３記載の発明は、請求項１または請求項２記載の発明において、レールと係合部の接触部に弾性体を備えることを特徴としている。
【００１０】
この発明によれば、弾性体によって、レール内で係合部が安易に動くことを防ぐことができる。よって、扉開閉時にレール内での係合部の不必要な移動を防止することができる。またレール内の傷つき防止にも役立つ。
【００１１】
請求項４記載の発明は、扉の間口寸法より小幅の引っ掛け具であることを特徴としている。
【００１２】
この発明によれば、隣接する扉に引っ掛け具が干渉することなく、扉を開閉することができる。
【００１３】
請求項５記載の発明は、引っ掛け具を棒状でなく、リング状にすることを特徴としている。
【００１４】
この発明によれば、リング状にすることにより、いろんな向きからタオルを掛けやすくなる。
【発明を実施するための最良の形態】
【００１５】
以下、本発明の実施例を図面に基づいて説明する。図１は本発明の第１実施例を適用した扉本体の斜視図である。図２は図１における取り付け方法を示した斜視図である。図３は係合部を有する引っ掛け具の詳細を示す斜視図である。図４は係合部を有する引っ掛け具の側面図である。図５は図１における側面断面図である。
【００１６】
図１において、扉本体１は、表面に扉面材１ａを備え、上部にはレール１ｂを有している。レール１ｂは押し出し成型で作られており、材質はアルミである。押し出し成型であるので、断面形状は一定であり、両端を開放してある。また、レール１ｂは樹脂で作ることもある。
【００１７】
扉本体１ に係合部を有する引っ掛け具４を取り付けるには、図２に示すようにレール１ｂの開放部より係合部２をスライドさせて通す。また、係合部を有する引っ掛け具４の間口寸法ｂは、扉本体１の間口寸法ａより小さくなっており、扉間口寸法内であれば、左右にずらすこともできる。
【００１８】
ここで図３に示すように、係合部を有する引っ掛け具４は係合部２と引っ掛け具本体３からできている。係合部２は樹脂でできており、弾性体２ｂを備えている。弾性体２ｂは係合部に接着している。これにより、係合部２をレール１ｂに通したときの傷を防ぐことができる。
【００１９】
引っ掛け具本体３はアルミでできており、図４に示すように、係合部２とねじ７で固定されている。また、ばね座金１０を入れることにより、使用中にねじ７が緩むことなくしっかり固定できる。
【００２０】
図５に示すように、係合部２の外側形状は、レール１ｂの内側形状に合うような形状となっている。係合部２には突起２ａが設けられ、これにより、引っ掛け具本体３が上に上がったときレール１ｂから外れるのを防ぐことができる。
【００２１】
よって、タオル掛けを使用したい人は引っ掛け具を用い、そうでない人は用いないことで、意匠性を確保するばかりか、それぞれの使い勝手が向上すると言う効果がある。
【００２２】
次に第２実施例について説明する。
図６は、発明の第２実施例における係合部を有する引っ掛け具の斜視図である。図７は、係合部を有する引っ掛け具の側面図であり、図８は、係合部を有する引っ掛け具を扉本体に取り付けたときの側面断面図である。
【００２３】
図６において、係合部を有する引っ掛け具６は係合部５と引っ掛け具本体３からできている。係合部５は樹脂でできており、弾性体５ｂを設けている。弾性体５ｂは鉤状になっており、ばね機構をもたせている。弾性体５ ｂ の作用により、多少形状の違うレールであっても使用可能となる。
【００２４】
引っ掛け具本体３はアルミでできており、図７に示すように、係合部５とねじ７で固定されている。また、ばね座金１０を入れることにより、使用中にねじ７が緩むことなくしっかり固定できる。
【００２５】
図８に示すように、係合部５の外側形状は、レール１ｂの内側形状に合うような形状となっている。係合部５には手前側に突起５ａが設けられ、これにより、引っ掛け具本体３が上に上がったときレール１ｂから外れるのを防ぐことができる。
【００２６】
よって第１実施例と比べて弾性体を鉤状にしたことで、多少形状の違うレールであっても使用可能となる。
【００２７】
次に第３実施例について説明する。
図９は、本発明の第３実施例を示す斜視図であり、図１０は図９における取り付け方法を示した斜視図である。
【００２８】
キッチンでは上部壁面を利用して吊り戸を設置することがある。吊り戸の場合、扉の把手は下部に設けられる。本実施例では、第１ 実施例と同様な構成であるが、レール１ｂが扉本体1の下部に位置している点が異なる。すなわち本実施例の扉は吊り戸であり、このような場合はレール１ｂが下部にあると使用者が扱いやすくなり使い勝手が向上する。
【００２９】
次に第4実施例について説明する。
図１１は、本発明の第４実施例を示す斜視図である。
【００３０】
図１１において、扉面材１ａに溝８を彫り、レール機構をもたせる。また、溝８にはアルミ又は樹脂で成型されたレールを取り付けることもできる（ 図示せず） 。リング形状の引っ掛け具９は、アルミでできており、丸くすることにより、どちらからでもタオルをかけることができる。
【図面の簡単な説明】
【００３１】
【図１】本発明の第１実施例を適用した扉本体の斜視図である。
【図２】本発明の第１実施例の係合部を有する引っ掛け具を扉本体に取り付ける方法を示す斜視図である。
【図３】本発明の第１実施例の係合部を有する引っ掛け具の詳細を示す斜視図である。
【図４】本発明の第１実施例の係合部を有する引っ掛け具の側面図である。
【図５】本発明の第１実施例の係合部を有する引っ掛け具を扉本体に取り付けたときの側面断面図である。
【図６】本発明の第２実施例を適用した係合部を有する引っ掛け具の詳細を示す斜視図である。
【図７】本発明の第２実施例の係合部を有する引っ掛け具の側面図である。
【図８】本発明の第２実施例の係合部を有する引っ掛け具を扉本体に取り付けたときの側面断面図である。
【図９】本発明の第３実施例を示す斜視図である。
【図１０】本発明の第３ 実施例の係合部を有する引っ掛け具を扉本体に取り付ける方法を示す斜視図である。
【図１１】本発明の第４実施例を示す斜視図である。
【符号の説明】
【００３２】
１… 扉本体
１ａ … 扉面材
１ｂ … レール
２… 係合部
２ａ … 突起部
２ｂ … 弾性体
３… 引っ掛け具本体
４… 引っ掛け具
５… 係合部
５ａ … 突起部
５ｂ … 弾性体
６… 係合部を有する引っ掛け具
７… ねじ
８… 溝
９… リング形状の引っ掛け具
１０ … ばね座金
ａ… 扉の間口寸法
ｂ… 引っ掛け具の間口寸法
ｃ… 溝寸法
ｄ… 扉の間口寸法
【図１】
2008261220.tif 000003
【図２】
2008261220.tif 000004
【図３】
2008261220.tif 000005
【図４】
2008261220.tif 000006
【図５】
2008261220.tif 000007
【図６】
2008261220.tif 000008
【図７】
2008261220.tif 000009
【図８】
2008261220.tif 000010
【図９】
2008261220.tif 000011
【図１０】
2008261220.tif 000012
【図１１】
2008261220.tif 000013